【手続補正書】
【提出日】令和3年7月13日(2021.7.13)
【手続補正１】
【補正対象書類名】特許請求の範囲
【補正対象項目名】全文
【補正方法】変更
【補正の内容】
【特許請求の範囲】
【請求項１】
遊技球が入球可能な第１状態と、その第１状態よりも遊技球が入球困難な第２状態と、に可変可能な可変入球手段を有した遊技機において、
前記可変入球手段へと入球した遊技球を検出可能な検出手段と、
遊技球が入球可能な第１入球手段と、
前記第１入球手段へと遊技球が入球したことに基づいて判別を実行可能な判別手段と、
その判別手段の判別結果が予め定められた特定の判別結果となったことに基づいて、前記可変入球手段を所定期間、前記第２状態から前記第１状態へと可変させる可変制御手段と、
前記検出手段によって遊技球が検出された場合に成立し得る所定の設定条件が成立したことに基づいて、特定の状態を設定可能な状態設定手段と、
前記特定の状態において前記第１入球手段とは異なる第２入球手段へと遊技球が入球したことに基づいて遊技者に有利な特典遊技状態を設定する特典遊技状態設定手段と、を備え、
前記第２入球手段は、少なくとも通常の遊技状態において前記第１入球手段よりも遊技球が入球し難い構成であり、
前記遊技機は、
遊技球が通過可能な所定の開口部と、
その所定の開口部を通過した遊技球を第１流路と、その第１流路とは異なる第２流路と、を少なくとも含む複数のうち１の流路に振り分ける振分手段と、
前記第１流路を流下した遊技球を入球不可能とさせる位置であって前記第２流路を流下した遊技球を入球可能とさせる位置に設けられている第３入球手段と、
第１条件が成立したことに基づいて第１遊技状態を設定する第１遊技状態設定手段と、を有し、
前記第２入球手段は、前記第１流路を流下した遊技球を入球可能とさせる位置であって前記第２流路を流下した遊技球を入球不可能とさせる位置に設けられており、
前記遊技機は、前記特定の状態において前記第３入球手段へと遊技球が入球したことによっては前記特典遊技状態が設定され得ない構成であり、
前記状態設定手段は、少なくとも前記第１遊技状態において前記所定の設定条件が成立したことに基づいて前記特定の状態を設定可能であり、
前記第１遊技状態は、所定の前記特定の状態よりも、前記可変入球手段が前記第１状態へと可変され易い状態であることを特徴とする遊技機。
【手続補正２】
【補正対象書類名】明細書
【補正対象項目名】０００６
【補正方法】変更
【補正の内容】
【０００６】
この目的を達成するために請求項１記載の遊技機は、遊技球が入球可能な第１状態と、その第１状態よりも遊技球が入球困難な第２状態と、に可変可能な可変入球手段を有し、前記可変入球手段へと入球した遊技球を検出可能な検出手段と、遊技球が入球可能な第１入球手段と、前記第１入球手段へと遊技球が入球したことに基づいて判別を実行可能な判別手段と、その判別手段の判別結果が予め定められた特定の判別結果となったことに基づいて、前記可変入球手段を所定期間、前記第２状態から前記第１状態へと可変させる可変制御手段と、前記検出手段によって遊技球が検出された場合に成立し得る所定の設定条件が成立したことに基づいて、特定の状態を設定可能な状態設定手段と、前記特定の状態において前記第１入球手段とは異なる第２入球手段へと遊技球が入球したことに基づいて遊技者に有利な特典遊技状態を設定する特典遊技状態設定手段と、を備え、前記第２入球手段は、少なくとも通常の遊技状態において前記第１入球手段よりも遊技球が入球し難い構成であり、前記遊技機は、遊技球が通過可能な所定の開口部と、その所定の開口部を通過した遊技球を第１流路と、その第１流路とは異なる第２流路と、を少なくとも含む複数のうち１の流路に振り分ける振分手段と、前記第１流路を流下した遊技球を入球不可能とさせる位置であって前記第２流路を流下した遊技球を入球可能とさせる位置に設けられている第３入球手段と、第１条件が成立したことに基づいて第１遊技状態を設定する第１遊技状態設定手段と、を有し、前記第２入球手段は、前記第１流路を流下した遊技球を入球可能とさせる位置であって前記第２流路を流下した遊技球を入球不可能とさせる位置に設けられており、前記遊技機は、前記特定の状態において前記第３入球手段へと遊技球が入球したことによっては前記特典遊技状態が設定され得ない構成であり、前記状態設定手段は、少なくとも前記第１遊技状態において前記所定の設定条件が成立したことに基づいて前記特定の状態を設定可能であり、前記第１遊技状態は、所定の前記特定の状態よりも、前記可変入球手段が前記第１状態へと可変され易い状態である。
【手続補正３】
【補正対象書類名】明細書
【補正対象項目名】００１１
【補正方法】変更
【補正の内容】
【００１１】
請求項１記載の遊技機によれば、遊技球が入球可能な第１状態と、その第１状態よりも遊技球が入球困難な第２状態と、に可変可能な可変入球手段を有し、前記可変入球手段へと入球した遊技球を検出可能な検出手段と、遊技球が入球可能な第１入球手段と、前記第１入球手段へと遊技球が入球したことに基づいて判別を実行可能な判別手段と、その判別手段の判別結果が予め定められた特定の判別結果となったことに基づいて、前記可変入球手段を所定期間、前記第２状態から前記第１状態へと可変させる可変制御手段と、前記検出手段によって遊技球が検出された場合に成立し得る所定の設定条件が成立したことに基づいて、特定の状態を設定可能な状態設定手段と、前記特定の状態において前記第１入球手段とは異なる第２入球手段へと遊技球が入球したことに基づいて遊技者に有利な特典遊技状態を設定する特典遊技状態設定手段と、を備え、前記第２入球手段は、少なくとも通常の遊技状態において前記第１入球手段よりも遊技球が入球し難い構成であり、前記遊技機は、遊技球が通過可能な所定の開口部と、その所定の開口部を通過した遊技球を第１流路と、その第１流路とは異なる第２流路と、を少なくとも含む複数のうち１の流路に振り分ける振分手段と、前記第１流路を流下した遊技球を入球不可能とさせる位置であって前記第２流路を流下した遊技球を入球可能とさせる位置に設けられている第３入球手段と、第１条件が成立したことに基づいて第１遊技状態を設定する第１遊技状態設定手段と、を有し、前記第２入球手段は、前記第１流路を流下した遊技球を入球可能とさせる位置であって前記第２流路を流下した遊技球を入球不可能とさせる位置に設けられており、前記遊技機は、前記特定の状態において前記第３入球手段へと遊技球が入球したことによっては前記特典遊技状態が設定され得ない構成であり、前記状態設定手段は、少なくとも前記第１遊技状態において前記所定の設定条件が成立したことに基づいて前記特定の状態を設定可能であり、前記第１遊技状態は、所定の前記特定の状態よりも、前記可変入球手段が前記第１状態へと可変され易い状態である。
【手続補正４】
【補正対象書類名】明細書
【補正対象項目名】４３５５
【補正方法】変更
【補正の内容】
【４３５５】
１０                          パチンコ機（遊技機）
１１２                        発射制御装置（発射手段）
６６０                        作動入賞口（第１８実施形態における第２入球手段）
６９０４                      第１特別通過口（第１８実施形態における第１入球手段）
６９４０ａ                    電動役物（第１８実施形態における可変手段）
６９５０                      小当たり用入賞装置（第１８実施形態における可変入球手段）
６９７０ 球振分役物（第１８実施形態における振分手段）
６９７１ｏ１，６９７１ｏ２ アウト誘導流路（第１８実施形態における第２流路）
６９７２ｏ１，６９７２ｏ２ アウト誘導流路（第１８実施形態における第２流路）
６９７２ｖ 作動入賞口誘導流路（第１８実施形態における第１流路）
６９７３ アウト口（第１８実施形態における第３入球手段）
Ｓ２２０                      第１８実施形態における状態設定手段の一部
Ｓ６２３                      第１８実施形態における可変制御手段
Ｓ１１０３                    第１８実施形態における特典遊技状態設定手段
Ｓ１３２１                    第１８実施形態における可変制御手段
Ｓ１３４３                    第１８実施形態における状態設定手段の一部
Ｓ１６０２                    第１８実施形態における検出手段